(57)【要約】【課題】カバーパネルに圧電素子の振動を確実に伝えながら、圧電素子の割れを防ぐ。【解決手段】圧電レシーバ１０に左右に延びる矩形状の圧電素子１２を内蔵させ、この圧電レシーバ１０を左右に間隔をあけた一対の両面テープ１１により、液晶ディスプレイの表面を覆う板状のカバーパネル２ａの背面に貼り付ける。【選択図】図１
2014057264.tif 000002
【特許請求の範囲】
【請求項１】
表示部の上方に通話用の圧電レシーバを有する携帯電話機であって、
上記表示部の表面を覆う板状のカバーパネルと、
上記カバーパネルが取り付けられる筐体と、
上記カバーパネル背面に接着される、圧電素子を有する圧電レシーバとを備え、
上記圧電レシーバは、左右に延びる矩形状の圧電素子を内蔵し、
上記圧電レシーバは、左右に間隔をあけた一対の両面テープにより、上記カバーパネル背面に貼り付けられている
ことを特徴とする携帯電話機。
【請求項２】
請求項１に記載の携帯電話機において、
上記一対の両面テープの左右長さは、該一対の両面テープ間の間隔と略等しい
ことを特徴とする携帯電話機。
【請求項３】
請求項１又は２に記載の携帯電話機において、
上記圧電レシーバにおける上記一対の両面テープ間の反対側と上記筐体との間には、クッション部材が接着されている
ことを特徴とする携帯電話機。
【発明の詳細な説明】
【技術分野】
【０００１】
本発明は、表示部の上方に圧電レシーバを有する携帯電話機に関するものである。
【背景技術】
【０００２】
従来より、圧電素子を用いてその振動をパネル部材に伝達することが知られている。例えば、特許文献１のように、音響部材接触式の情報入力機能を備え、周縁部に少なくとも一部に剛性を低下させた低剛性部分が形成され、低剛性部分を含めて中央側に振動素子を有するパネル部材が知られている。
【０００３】
通話用のレシーバを圧電レシーバで構成し、その内蔵する圧電素子を振動させ、その信号をカバーパネルに伝えるようにした場合、圧電レシーバを確実にカバーパネルの背面に貼り付けないと、圧電素子の振動をカバーパネルに伝えることができないので、圧電レシーバの背面のほぼ全体が両面テープによって密着されている。
【先行技術文献】
【特許文献】
【０００４】
【特許文献１】特開２０１０−１５７０３７号公報
【発明の概要】
【発明が解決しようとする課題】
【０００５】
しかしながら、圧電素子が左右に長い矩形状であった場合、カバーパネルに左右に折り曲げようとする応力が加わると、カバーパネルに追従して圧電素子が折れ曲がって割れるという問題があった。
【０００６】
本発明は、かかる点に鑑みてなされたものであり、その目的とするところは、カバーパネルに圧電素子の振動を確実に伝えながら、圧電素子の割れを防ぐことにある。
【課題を解決するための手段】
【０００７】
上記の目的を達成するために、この発明では、圧電レシーバを貼り付ける両面テープの左右中央に間隔を設けるようにした。
【０００８】
具体的には、第１の発明では、
表示部の上方に通話用の圧電レシーバを有する携帯電話機を対象とする。
【０００９】
上記表示部の表面を覆う板状のカバーパネルと、
上記カバーパネルが取り付けられる筐体と、
上記カバーパネル背面に接着される、圧電素子を有する圧電レシーバとを備え、
上記圧電レシーバは、左右に延びる矩形状の圧電素子を内蔵し、
上記圧電レシーバは、左右に間隔をあけた一対の両面テープにより、上記カバーパネル背面に貼り付けられている。
【００１０】
上記の構成によると、圧電レシーバの左右中央に間隔をあけて一対の両面テープによって圧電レシーバがカバーパネルに貼り付けられているので、カバーパネルを左右に折り曲げようとする力が加わったときに、隙間の部分が折れ曲がったカバーパネルと追従して折れ曲がることはない。このため、圧電素子が割れにくい。なお、隙間の大きさを調整することで、圧電素子の振動がカバーパネルに十分に伝達されるようにすることができる。
【００１１】
第２の発明では、第１の発明に加え、
上記一対の両面テープの左右長さは、該一対の両面テープ間の間隔と略等しい。
【００１２】
上記の構成によると、両面テープの隙間部分を大きくしすぎず、一対の両面テープの長さのそれぞれとほぼ等しくすることで、圧電素子の振動を適度にカバーパネルに伝達してレシーバとしての機能を確保しながら、左右に曲げようとする力がカバーパネルに加わっても圧電素子の割れを防ぐことができる。なお、略等しいとは、完全に等しいことを意味するのではなく、多少の誤差を許容する。
【００１３】
第３の発明では、第１又は第２の発明に加え、
上記圧電レシーバにおける上記一対の両面テープ間の反対側と上記筐体との間には、クッション部材が接着されている。
【００１４】
上記の構成によると、カバーパネルと反対側を筐体側にクッション部材を介して貼り付けることで、カバーパネルが歪んだときでも、圧電素子が歪み方向に引っ張られるのが防止される。
【発明の効果】
【００１５】
以上説明したように、本発明によれば、圧電レシーバを左右に間隔をあけた一対の両面テープによりカバーパネル背面に貼り付けたことにより、カバーパネルに圧電素子の振動を確実に伝えながら、圧電素子の割れを防ぐことができる。
【図面の簡単な説明】
【００１６】
【図１】カバーパネルに貼り付けられた圧電レシーバの概略を示す断面図であり、（ａ）が貼付時を示し、（ｂ）が曲げ応力がかかったときを示す。
【図２】本発明の実施形態に係る携帯電話機を示す斜視図である。
【図３】携帯電話機を背面側から見た分解斜視図である。
【図４】カバーパネルを外したときの携帯電話機を示す正面図である。
【図５】携帯電話機を示す側方断面図である。
【図６】圧電レシーバが貼り付けられた表示部を背面側から見た斜視図である。
【図７】圧電レシーバを示し、（ａ）が正面図で、（ｂ）が平面図で、（ｃ）が背面図である。
【図８】比較例を示す図１相当図である。
【発明を実施するための形態】
【００１７】
以下、本発明の実施形態を図面に基づいて説明する。
【００１８】
図２は、本発明の実施形態に係る携帯電話機１を示す斜視図であり、図３は、携帯電話機１を背面側から見た分解斜視図であり、図４は、カバーパネルを外したときの携帯電話機を示す正面図である。この携帯電話機１は、例えば、いわゆるスマートフォンであり、表示部２と、この表示部２を正面側に収容する、筐体としての正面側キャビネット３と、この正面側キャビネット３を背面側から覆う背面側キャビネット４と、この背面側キャビネット４の背面を覆うリアカバー５とを備えている。正面側キャビネット３の背面には、メイン基板６が収容され、このメイン基板６の背面にバッテリ７が収容されている。
【００１９】
図５は、携帯電話機１を示す側方断面図であり、図６は、圧電レシーバが貼り付けられた表示部２を背面側から見た斜視図である。表示部２は、ガラス、アクリル板等よりなる透明な矩形板状のカバーパネル２ａを有する。このカバーパネル２ａの裏面中央にシート状のタッチパネル（図示せず）及び矩形板状の液晶ディスプレイ２ｂが貼り付けられている。液晶ディスプレイ２ｂの下端からは、この液晶ディスプレイ２ｂ及びタッチパネルをそれぞれメイン基板６に接続するためのフレキシブル基板２ｃが延びている。そして、液晶ディスプレイ２ｂの上方のカバーパネル２ａの背面には、通話用の左右に長い矩形板状の圧電レシーバ１０が貼り付けられている。
【００２０】
具体的には、正面側キャビネット３は、中央にステンレス鋼板等よりなる補強フレーム３ａがインサート成形され、周縁部に枠状のパネル貼付部３ｂが設けられている。上側のパネル貼付部３ｂは、左右のパネル貼付部３ｂよりも幅が広く、正面視で矩形状のレシーバ収容部３ｃが凹陥されている。このレシーバ収容部３ｃに対応するように圧電レシーバ１０がカバーパネル２ａに一対の両面テープ１１によって貼り付けられている。
【００２１】
図７は、圧電レシーバ１０を示し、（ａ）が正面図で、（ｂ）が平面図で、（ｃ）が背面図である。一対の両面テープ１１の左右長さＬ１は、一対の両面テープ１１間の間隔Ｌ２と略等しくなっている（Ｌ１＝Ｌ２）。なお、略等しいとは、完全に等しいことを意味するのではなく、多少の誤差を許容する。一対の両面テープ１１の周縁の貼りしろＬ３，Ｌ４は、両面テープ１１がはみ出ない程度の小さい隙間でよい。このため、圧電レシーバ１０の全体の長さをＬとすれば、Ｌ２は略Ｌ／３に等しくなる。そして、圧電レシーバ１０には、左右に延びる矩形板状の圧電素子１２が内蔵され、この圧電素子１２から延びるハーネス１３がメイン基板６に接続されるようになっている。圧電素子１２は、例えば、積層構造をしており、厚さが略１ｍｍある。ハーネス１３は、具体的には、フレキシブル基板で構成されている。なお、Ｌ１，Ｌ２，Ｌ３，Ｌ４の寸法関係は、これに限定されず、圧電素子１２の振動をカバーパネル２ａに適度に伝達でき、カバーパネル２ａの所定の曲げ荷重により、割れないように設定すればよい。
【００２２】
そして、圧電レシーバ１０における一対の両面テープ１１間の反対側（左右中央の背面側）とレシーバ収容部３ｃ正面との間には、クッション部材１５が接着されている。具体的には、圧電レシーバ１０のモールドがシリコン系であるのに合わせてクッション部材１５と圧電レシーバ１０とをシリコン系両面テープ１６で貼り付け、レシーバ収容部３ｃとクッション部材１５との間をアクリル系両面テープ１７で貼り付けている。クッション部材１５の接着方法はこれに限定されず、接着剤等でもよい。
【００２３】
このように、一対の両面テープ１１で圧電レシーバ１０をカバーパネル２ａに貼り付けた上で、図示しない枠状の両面テープでカバーパネル２ａをパネル貼付部３ｂに貼り付け、圧電レシーバ１０をレシーバ収容部３ｃに収容し、ハーネス１３をメイン基板６に接続すると共に、フレキシブル基板２ｃをメイン基板６に接続するようになっている。
【００２４】
図１は、カバーパネルに貼り付けられた圧電レシーバの概略を示す断面図であり、（ａ）が貼付時を示し、（ｂ）が曲げ応力がかかったときを示す。また、図８は、比較例を示す図１相当図である。上述したようにして組み付けられた携帯電話機１と、両面テープ１１１を圧電レシーバ１０の正面のほぼ全体に貼り付けた比較例とを比較する。
【００２５】
圧電素子１２の振動を伝えるという点では、図８示す比較例の方が両面テープ１１の接地面積が広くて効率がよいが、本実施形態の圧電レシーバ１０でも通話を行う上で全く問題はなかった。
【００２６】
一方、圧電レシーバ１０の左右中心を中心としてカバーパネル２ａを１２０°の角度で折り曲げられたときを考えると、比較例では、図８に示すように、圧電レシーバ１０の背方面のほぼ全体が両面テープ１１１によりカバーパネル２ａの背面に貼り付けられているので、圧電素子１２も１２０°折り曲げられる。このため、圧電素子１２が割れる可能性が高い。
【００２７】
しかし、本実施形態では、図１に示すように、圧電素子１２の左右中央に対応する間隔Ｌ２の部分がカバーパネル２ａに接着されていないので、圧電素子１２の左右中央は折り曲げられない。そして、各両面テープ１１の左右内側端部で圧電素子１２が折り曲げられることになるが、その角度は、略１５０°に緩和され、圧電素子１２が割れる確率が格段に減る。しかし、Ｌ２の割合を小さくしすぎると、上記角度が小さくなって割れ防止効果が減少することがわかった。
【００２８】
このように、本実施形態では、圧電レシーバ１０の左右中央に間隔をあけて一対の両面テープ１１によって圧電レシーバ１０がカバーパネル２ａに貼り付けられているので、カバーパネル２ａを左右に折り曲げようとする力が加わったときに、間隔Ｌ２の部分が折れ曲がったカバーパネル２ａと追従して折れ曲がることはない。このため、圧電素子１２が割れにくい。
【００２９】
また、カバーパネル２ａと反対側の左右中央部がレシーバ収容部３ｃ側にクッション部材１５を介して貼り付けられているので、カバーパネル２ａが歪んだときでも、圧電素子１２が歪み方向に引っ張られるのが効果的に防止される。
【００３０】
したがって、本実施形態に係る携帯電話機１によると、カバーパネル２ａに圧電素子１２の振動を確実に伝えながら、圧電素子１２の割れを防ぐことができる。
【００３１】
（その他の実施形態）
本発明は、上記実施形態について、以下のような構成としてもよい。
【００３２】
すなわち、上記実施形態では、ストレートタイプの携帯電話機１としたが、折畳み式やスライド式の携帯電話機でもよく、その場合には、表示部が収容される筐体の上側に圧電レシーバを設ければよい。
【００３３】
上記実施形態では、表示部２は、タッチパネルを有するとしたが、タッチパネルを有さないものでもよく、液晶ディスプレイ２ｂは、有機ＥＬディスプレイでもよい。
【００３４】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【産業上の利用可能性】
【００３５】
以上説明したように、本発明は、表示部の上方に圧電レシーバを有する携帯電話機について有用である。
【符号の説明】
【００３６】
１      携帯電話機
２      表示部
２ａ    カバーパネル
２ｂ    液晶ディスプレイ
２ｃ    フレキシブル基板
３      正面側キャビネット（筐体）
３ａ    補強フレーム
３ｂ    パネル貼付部
３ｃ    レシーバ収容部
４      背面側キャビネット
５      リアカバー
６      メイン基板
７      バッテリ
１０      圧電レシーバ
１１      両面テープ
１２      圧電素子
１３      ハーネス
１５      クッション部材
１６      シリコン系両面テープ
１７      アクリル系両面テープ
１１１      両面テープ（比較例）
【図１】
2014057264.tif 000003
【図２】
2014057264.tif 000004
【図３】
2014057264.tif 000005
【図４】
2014057264.tif 000006
【図５】
2014057264.tif 000007
【図６】
2014057264.tif 000008
【図７】
2014057264.tif 000009
【図８】
2014057264.tif 000010